(57)【特許請求の範囲】
【請求項１】
画像を組み込んだＷｅｂサイトの文章を投稿する情報処理装置と、前記情報処理装置から文章が投稿されたＷｅｂサイト同士を相互にリンクさせるためのサイト管理サーバと、を有してなるサイトリンクシステムであって、
前記サイト管理サーバは、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該画像が流用された回数を設定したフラグを格納し、
前記リンク部は、前記フラグに基づいて、前記情報処理装置から投稿されたＷｅｂサイトの文章中に組み込まれた画像の流用元のＷｅｂサイトを、前記記憶部から検索された画像を文章中に組み込んだＷｅｂサイトの中から特定し、特定したＷｅｂサイトと、前記情報処理装置から文章が投稿されたＷｅｂサイトと、をリンクさせる、サイトリンクシステム。
【請求項２】
前記リンク部は、前記フラグに基づいて、前記情報処理装置から投稿されたＷｅｂサイトの文章中に組み込まれた画像を最初に投稿したＷｅｂサイトを、前記記憶部から検索された画像を文章中に組み込んだＷｅｂサイトの中から特定し、特定したＷｅｂサイトと、前記情報処理装置から文章が投稿されたブログと、をリンクさせる、請求項１に記載のサイトリンクシステム。
【請求項３】
画像を組み込んだＷｅｂサイトの文章を投稿する情報処理装置と、前記情報処理装置から文章が投稿されたＷｅｂサイト同士を相互にリンクさせるためのサイト管理サーバと、を有してなるサイトリンクシステムであって、
前記サイト管理サーバは、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンク部は、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、サイトリンクシステム。
【請求項４】
前記識別情報は、前記情報処理装置からＷｅｂサイトの文章を投稿した利用者の識別情報である、請求項３に記載のサイトリンクシステム。
【請求項５】
画像を組み込んだＷｅｂサイトの文章を投稿する情報処理装置と、前記情報処理装置から文章が投稿されたＷｅｂサイト同士を相互にリンクさせるためのサイト管理サーバと、を有してなるサイトリンクシステムであって、
前記サイト管理サーバは、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像の画像ファイルのヘッダ部に前記識別情報が格納されているか検索する検索部と、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンク部は、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、サイトリンクシステム。
【請求項６】
前記識別情報は、Ｗｅｂサイトの閲覧用のＵＲＬ、または、Ｗｅｂサイトがブログである場合のトラックバック用のＵＲＬである、請求項５に記載のサイトリンクシステム。
【請求項７】
情報処理装置から画像を組み込んだＷｅｂサイトの文章が投稿された場合に、当該Ｗｅｂサイト同士を相互にリンクさせるためのサイト管理サーバであって、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該画像が流用された回数を設定したフラグを格納し、
前記リンク部は、前記フラグに基づいて、前記情報処理装置から投稿されたＷｅｂサイトの文章中に組み込まれた画像の流用元のＷｅｂサイトを、前記記憶部から検索された画像を文章中に組み込んだＷｅｂサイトの中から特定し、特定したＷｅｂサイトと、前記情報処理装置から文章が投稿されたＷｅｂサイトと、をリンクさせる、サイト管理サーバ。
【請求項８】
前記リンク部は、前記フラグに基づいて、前記情報処理装置から投稿されたＷｅｂサイトの文章中に組み込まれた画像を最初に投稿したＷｅｂサイトを、前記記憶部から検索された画像を文章中に組み込んだＷｅｂサイトの中から特定し、特定したＷｅｂサイトと、前記情報処理装置から文章が投稿されたブログと、をリンクさせる、請求項７に記載のサイト管理サーバ。
【請求項９】
情報処理装置から画像を組み込んだＷｅｂサイトの文章が投稿された場合に、当該Ｗｅｂサイト同士を相互にリンクさせるためのサイト管理サーバであって、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンク部は、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、サイト管理サーバ。
【請求項１０】
前記識別情報は、前記情報処理装置からＷｅｂサイトの文章を投稿した利用者の識別情報である、請求項９に記載のサイト管理サーバ。
【請求項１１】
情報処理装置から画像を組み込んだＷｅｂサイトの文章が投稿された場合に、当該Ｗｅｂサイト同士を相互にリンクさせるためのサイト管理サーバであって、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像の画像ファイルのヘッダ部に前記識別情報が格納されているか検索する検索部と、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンク部と、を有し、
前記保存部は、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンク部は、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、サイト管理サーバ。
【請求項１２】
前記識別情報は、Ｗｅｂサイトの閲覧用のＵＲＬ、または、Ｗｅｂサイトがブログである場合のトラックバック用のＵＲＬである、請求項１１に記載のサイト管理サーバ。
【請求項１３】
情報処理装置から画像を組み込んだＷｅｂサイトの文章が投稿された場合に、当該Ｗｅｂサイト同士を相互にリンクさせるためのサイト管理サーバによるブログリンク方法であって、
前記情報処理装置からＷｅｂサイトの文章が投稿された場合、当該文章を当該Ｗｅｂサイトの閲覧用のＵＲＬと関連付けて記憶部に保存する保存ステップと、
前記情報処理装置からＷｅｂサイトの閲覧が要求された場合、当該Ｗｅｂサイトの文章を前記記憶部から読み出して前記情報処理装置に送信する閲覧ステップと、
前記情報処理装置からＷｅｂサイトの文章が投稿された場合、当該文章中に組み込まれた画像と同一の画像を前記記憶部から検索する検索ステップと、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンクステップと、を有し、
前記保存ステップでは、前記記憶部に保存されたＷｅｂサイトの文章中に組み込まれた画像の画像ファイルのヘッダ部に、当該画像が流用された回数を設定したフラグを格納し、
前記リンクステップでは、前記フラグに基づいて、前記情報処理装置から投稿されたＷｅｂサイトの文章中に組み込まれた画像の流用元のＷｅｂサイトを、前記記憶部から検索された画像を文章中に組み込んだＷｅｂサイトの中から特定し、特定したＷｅｂサイトと、前記情報処理装置から文章が投稿されたＷｅｂサイトと、をリンクさせる、ブログリンク方法。
【請求項１４】
前記リンクステップでは、前記フラグに基づいて、前記情報処理装置から投稿されたＷｅｂサイトの文章中に組み込まれた画像を最初に投稿したＷｅｂサイトを、前記記憶部から検索された画像を文章中に組み込んだＷｅｂサイトの中から特定し、特定したＷｅｂサイトと、前記情報処理装置から文章が投稿されたブログと、をリンクさせる、請求項１３に記載のブログリンク方法。
【請求項１５】
情報処理装置から画像を組み込んだＷｅｂサイトの文章が投稿された場合に、当該Ｗｅｂサイト同士を相互にリンクさせるためのサイト管理サーバによるブログリンク方法であって、
前記情報処理装置からＷｅｂサイトの文章が投稿された場合、当該文章を当該Ｗｅｂサイトの閲覧用のＵＲＬと関連付けて記憶部に保存する保存ステップと、
前記情報処理装置からＷｅｂサイトの閲覧が要求された場合、当該Ｗｅｂサイトの文章を前記記憶部から読み出して前記情報処理装置に送信する閲覧ステップと、
前記情報処理装置からＷｅｂサイトの文章が投稿された場合、当該文章中に組み込まれた画像と同一の画像を前記記憶部から検索する検索ステップと、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンクステップと、を有し、
前記保存ステップでは、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンクステップでは、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、ブログリンク方法。
【請求項１６】
前記識別情報は、前記情報処理装置からＷｅｂサイトの文章を投稿した利用者の識別情報である、請求項１５に記載のブログリンク方法。
【請求項１７】
情報処理装置から画像を組み込んだＷｅｂサイトの文章が投稿された場合に、当該Ｗｅｂサイト同士を相互にリンクさせるためのサイト管理サーバによるブログリンク方法であって、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納する保存ステップと、
前記情報処理装置からＷｅｂサイトの閲覧が要求された場合、当該Ｗｅｂサイトの文章を前記記憶部から読み出して前記情報処理装置に送信する閲覧ステップと、
前記情報処理装置からＷｅｂサイトの文章が投稿された場合、当該文章中に組み込まれた画像の画像ファイルのヘッダ部に前記識別情報が格納されているか検索する検索ステップと、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンクステップと、を有し、
前記保存ステップでは、前記記憶部に保存されたＷｅｂサイトの文章中に組み込まれた画像の画像ファイルのヘッダ部に、当該Ｗｅｂサイトの識別情報を第１のＷｅｂサイトの識別情報として格納し、また、当該Ｗｅｂサイトの識別情報を前記第１のＷｅｂサイトの識別情報として格納する前の段階で当該ヘッダ部に前記識別情報が格納されていなかった場合、当該ヘッダ部に、当該Ｗｅｂサイトの識別情報を第２のＷｅｂサイトの識別情報としても格納し、
前記リンクステップでは、前記情報処理装置から投稿されたＷｅｂサイトの文章中に組み込まれた画像の画像ファイルのヘッダ部に前記識別情報が格納された前記第１のＷｅｂサイトを、当該画像の流用元のＷｅｂサイトと特定し、特定したＷｅｂサイトと、前記情報処理装置から文章が投稿されたＷｅｂサイトと、をリンクさせ、また、当該ヘッダ部に前記識別情報が格納された前記第２のＷｅｂサイトを、当該画像を最初に投稿したＷｅｂサイトと特定し、特定したＷｅｂサイトと、前記情報処理装置から文章が投稿されたＷｅｂサイトと、をリンクさせる、ブログリンク方法。
【請求項１８】
前記識別情報は、Ｗｅｂサイトの閲覧用のＵＲＬ、または、Ｗｅｂサイトがブログである場合のトラックバック用のＵＲＬである、請求項１７に記載のブログリンク方法。
【発明の詳細な説明】
【技術分野】
【０００１】
本発明は、ブログ（Weblogの略。以下、同様）等のＷｅｂサイト同士を相互にリンクさせるためのサイトリンクシステム、サイト管理サーバ、およびサイトリンク方法に関する。
【背景技術】
【０００２】
Ｗｅｂサイトの１つに、ブログと呼ばれるＷｅｂサイトがある。最近は、携帯電話等の携帯端末用のブログも急速に普及している。
【０００３】
ところで、ブログ同士で相互にリンクを張るための機能として、トラックバックと呼ばれる機能がある（例えば、特許文献１）。
【０００４】
例えば、ブログＡ，Ｂ同士で、トラックバックを利用して、相互にリンクを張る手順は、次のようになる。
【０００５】
ブログＡ，Ｂにおいては、トラックバックＵＲＬと呼ばれるトラックバック用のＵＲＬを公開しておく。なお、トラックバックＵＲＬは、ブログの閲覧用のＵＲＬである記事ＵＲＬとは異なるものである。
【０００６】
ここで、ブログＢにおいて、ブログＡへのリンクを張ったとする。この場合、そのことをブログＡへ知らせるために、ブログＡのトラックバックＵＲＬに向けて、ブログＢの記事ＵＲＬ等を含むトラックバックピング（trackback ping）と呼ばれるデータが送信される。これを受けて、ブログＡにおいては、ブログＡのブログ文章を参照しているブログの一覧を表すトラックバックリストに、ブログＢの記事ＵＲＬへのリンクが張られる。
【０００７】
これにより、ブログＡ，Ｂ同士で、相互にリンクが張られることになる。
【特許文献１】特開２００７−００４３００号公報
【発明の開示】
【発明が解決しようとする課題】
【０００８】
しかしながら、トラックバックは、パーソナルコンピュータ（以下、「ＰＣ」と称する）用のブログを想定した機能であり、携帯端末用のブログにそのまま適用することは、以下の理由から困難であると考えられる。
【０００９】
すなわち、携帯端末においては、ブログ文章を一般に電子メールによって投稿するが、電子メールにトラックバックリスト等を設定するのは難しい。
【００１０】
また、携帯端末においては、投稿フォーム等を利用してブログ文章を投稿する場合もあるが、この場合も、携帯端末上でトラックバックＵＲＬを入力するのは操作上難しい。
【００１１】
このような背景があるため、最近は、相互にリンクを張ろうとしているブログ等のＷｅｂサイトが、携帯端末用のＷｅｂサイトであっても、簡単にリンクを張ることができる技術が望まれている。
【００１２】
そこで、本発明の目的は、携帯端末用のＷｅｂサイトであっても、簡単に相互にリンクを張ることができるサイトリンクシステム、サイト管理サーバ、およびサイトリンク方法を提供することにある。
【課題を解決するための手段】
【００１３】
本発明の第１のサイトリンクシステムは、
画像を組み込んだＷｅｂサイトの文章を投稿する情報処理装置と、前記情報処理装置から文章が投稿されたＷｅｂサイト同士を相互にリンクさせるためのサイト管理サーバと、を有してなるサイトリンクシステムであって、
前記サイト管理サーバは、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有することを特徴とする。
【００１４】
本発明の第２のサイトリンクシステムは、
画像を組み込んだＷｅｂサイトの文章を投稿する情報処理装置と、前記情報処理装置から文章が投稿されたＷｅｂサイト同士を相互にリンクさせるためのサイト管理サーバと、を有してなるサイトリンクシステムであって、
前記サイト管理サーバは、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像の画像ファイルのヘッダ部に前記識別情報が格納されているか検索する検索部と、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンク部と、を有することを特徴とする。
【００１５】
本発明の第１のサイト管理サーバは、
情報処理装置から画像を組み込んだＷｅｂサイトの文章が投稿された場合に、当該Ｗｅｂサイト同士を相互にリンクさせるためのサイト管理サーバであって、
前記情報処理装置からＷｅｂサイトの文章が投稿された場合、当該文章を当該Ｗｅｂサイトの閲覧用のＵＲＬと関連付けて記憶部に保存し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像と同一の画像を前記記憶部から検索する検索部と、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンク部と、を有することを特徴とする。
【００１６】
本発明の第２のサイト管理サーバは、
情報処理装置から画像を組み込んだＷｅｂサイトの文章が投稿された場合に、当該Ｗｅｂサイト同士を相互にリンクさせるためのサイト管理サーバであって、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納し、前記情報処理装置からＷｅｂサイトの閲覧が要求された場合、当該Ｗｅｂサイトの文章を前記記憶部から読み出して前記情報処理装置に送信する保存部と、
前記情報処理装置からＷｅｂサイトの文章が投稿された場合、当該文章中に組み込まれた画像の画像ファイルのヘッダ部に前記識別情報が格納されているか検索する検索部と、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンク部と、を有することを特徴とする。
【００１７】
本発明の第１のブログリンク方法は、
情報処理装置から画像を組み込んだＷｅｂサイトの文章が投稿された場合に、当該Ｗｅｂサイト同士を相互にリンクさせるためのサイト管理サーバによるブログリンク方法であって、
前記情報処理装置からＷｅｂサイトの文章が投稿された場合、当該文章を当該Ｗｅｂサイトの閲覧用のＵＲＬと関連付けて記憶部に保存する保存ステップと、
前記情報処理装置からＷｅｂサイトの閲覧が要求された場合、当該Ｗｅｂサイトの文章を前記記憶部から読み出して前記情報処理装置に送信する閲覧ステップと、
前記情報処理装置からＷｅｂサイトの文章が投稿された場合、当該文章中に組み込まれた画像と同一の画像を前記記憶部から検索する検索ステップと、
前記情報処理装置からＷｅｂサイトの文章が投稿され、かつ、当該文章中に組み込まれた画像と同一の画像が前記記憶部から検索された場合、検索された画像を文章中に組み込んだＷｅｂサイトと、前記情報処理装置から文章が投稿されたＷｅｂサイトと、を前記閲覧用のＵＲＬを用いてリンクさせるリンクステップと、を有することを特徴とする。
【００１８】
本発明の第２のブログリンク方法は、
情報処理装置から画像を組み込んだＷｅｂサイトの文章が投稿された場合に、当該Ｗｅｂサイト同士を相互にリンクさせるためのサイト管理サーバによるブログリンク方法であって、
前記情報処理装置からＷｅｂサイトの文章が投稿された場合、当該文章を当該Ｗｅｂサイトの閲覧用のＵＲＬと関連付けて記憶部に保存するとともに、前記記憶部に保存されたＷｅｂサイトの文章中に組み込まれた画像の画像ファイルのヘッダ部に、当該Ｗｅｂサイトの識別情報を格納する保存ステップと、
前記情報処理装置からＷｅｂサイトの閲覧が要求された場合、当該Ｗｅｂサイトの文章を前記記憶部から読み出して前記情報処理装置に送信する閲覧ステップと、
前記情報処理装置からＷｅｂサイトの文章が投稿された場合、当該文章中に組み込まれた画像の画像ファイルのヘッダ部に前記識別情報が格納されているか検索する検索ステップと、
前記情報処理装置からＷｅｂサイトの文章が投稿され、かつ、当該文章中に組み込まれた画像の画像ファイルのヘッダ部に前記識別情報が格納されている場合、当該識別情報により識別されるＷｅｂサイトと、前記情報処理装置から文章が投稿されたＷｅｂサイトと、を前記閲覧用のＵＲＬを用いてリンクさせるリンクステップと、を有することを特徴とする。
【発明の効果】
【００１９】
本発明によれば、同一の画像を組み込んだＷｅｂサイト同士を相互にリンクさせる構成であるため、携帯端末用のＷｅｂサイトであっても、画像が組み込まれていれば、同一の画像を組み込んだＷｅｂサイトと簡単に相互にリンクを張ることができるという効果が得られる。
【発明を実施するための最良の形態】
【００２０】
以下に、本発明を実施するための最良の形態について図面を参照して説明する。
【００２１】
なお、本発明は、各種のＷｅｂサイトに適用可能であるが、以下では、Ｗｅｂサイトがブログであるものとして説明する。
【００２２】
図１を参照すると、本実施形態のサイトリンクシステムは、利用者１０Ａ〜１０Ｃがそれぞれ利用する情報処理装置２０Ａ〜２０Ｃと、サイト管理サーバ３０と、がネットワーク４０を介して接続された構成となっている。なお、図１においては、３つの情報処理装置２０Ａ〜２０Ｃが図示されているが、情報処理装置の数は３つに制限されない。
【００２３】
情報処理装置２０Ａ〜２０Ｃは、画像を組み込んだブログのブログ文章を作成し、サイト管理サーバ３０に投稿する機能等を備えるものであり、ＰＣや、携帯電話等の携帯端末である。
【００２４】
情報処理装置２０Ａは、送受信部２１と、ブログ作成部２２と、表示部２３と、入力部２４と、記憶部２５と、制御部２６と、を有している。
【００２５】
送受信部２１は、ネットワーク４０を介して、サイト管理サーバ３０との間で、各種の情報を送受信する。
【００２６】
ブログ作成部２２は、画像を組み込んだブログのブログ文章を作成し、送受信部２１を用いてサイト管理サーバ３０へ送信する。
【００２７】
表示部２３は、各種の情報を表示するものであり、例えば、サイト管理サーバ３０から送受信部２１に受信されたブログのブログ文章を表示する。
【００２８】
入力部２４は、利用者１０Ａにより各種の指示が入力されるものであり、例えば、表示部２３に表示されたブログ文章中に組み込まれた画像の保存指示が入力される。その画像は、記憶部２５に保存され、以降、その画像を組み込んだブログ文章をブログ作成部２２にて作成することが可能となる。
【００２９】
制御部２６は、情報処理装置２０Ａの全体動作を制御する。
【００３０】
なお、図１には図示していないが、情報処理装置２０Ｂ，２０Ｃも、情報処理装置２０Ａと同様の構成となっている。
【００３１】
サイト管理サーバ３０は、送受信部３１と、ブログ保存部３２と、記憶部３３と、検索部３４と、ブログリンク部３５と、を有している。
【００３２】
送受信部３１は、ネットワーク４０を介して、情報処理装置２０Ａ〜２０Ｃとの間で、各種の情報を送受信する。
【００３３】
ブログ保存部３２は、情報処理装置２０Ａ〜２０Ｃからブログのブログ文章が投稿された場合、そのブログ文章を、そのブログの閲覧用の記事ＵＲＬと関連付けて記憶部３３に保存する。また、ブログ保存部３２は、記憶部３３に保存されたブログ文章中に組み込まれた画像の画像ファイルのヘッダ部に、各種の情報を格納することも行う。
【００３４】
また、ブログ保存部３２は、情報処理装置２０Ａ〜２０Ｃからブログの閲覧が要求された場合、そのブログのブログ文章を、記憶部３３から読み出して要求元の情報処理装置に送信する。
【００３５】
検索部３４は、情報処理装置２０Ａ〜２０Ｃからブログのブログ文章が投稿された場合、そのブログ文章中に組み込まれた画像と同一の画像を記憶部３３から検索したり、その画像の画像ファイルのヘッダ部から各種の情報を検索したりする。
【００３６】
ブログリンク部３５は、情報処理装置２０Ａ〜２０Ｃからブログのブログ文章が投稿された場合、検索部３４による検索結果を基にして、投稿されたブログと、そのブログに組み込まれた画像と同一の画像をブログ文章中に組み込んだブログと、を、記事ＵＲＬを用いて相互にリンクさせる。
【００３７】
なお、図１においては、情報処理装置２０Ａ〜２０Ｃから投稿されたブログ文章を、サイト管理サーバ３０という１つのサーバに保存しているが、ブログ文章を保存するサーバは２以上であっても良い。
【００３８】
また、サイト管理サーバ３０は、サイト管理サーバ３０以外のサーバに保存されたブログにも相互リンクを張ることが可能である。
【実施例】
【００３９】
以下に、具体的な実施例により、本発明をより詳細に説明する。
【００４０】
（実施例１）
最初に、本実施例の構成のうち特徴的な部分の構成について説明する。
【００４１】
ブログ保存部３２は、情報処理装置２０Ａ〜２０Ｃからブログのブログ文章が投稿された場合、そのブログ文章を、予め決められたブログ形式に変換し、そのブログの記事ＵＲＬと関連付けて記憶部３３に保存する。このとき、記憶部３３においては、ブログの記事ＵＲＬのディレクトリに、ブログ文章が保存される。なお、情報処理装置２０Ａ〜２０Ｃからは、ブログ文章の送信と同時にまたは事前に（例えば、サイト管理サーバ３０へのログイン時）、利用者識別子（例えば、情報処理装置に固有の装置ＩＤ、情報処理装置がＰＣの場合は利用者ＩＤ、情報処理装置が携帯電話の場合は電話番号や電子メールアドレス等）が送信されてくるので、ブログ保存部３２は、利用者識別子を基にして、ブログのブログ文章を、記事ＵＲＬと関連付けて記憶部３３に保存する。
【００４２】
例えば、情報処理装置２０Ａ〜２０Ｃが携帯電話であり、電子メールによってブログ文章が投稿された場合、ブログ保存部３２は、図２に示すように、そのブログ文章を電子メールのタグ構成から、ＨＴＭＬのタグ構成に変換して記憶部３３に保存する。このとき、ブログ形式となったブログには、トラックバックリスト等も追加される。
【００４３】
また、ブログ保存部３２は、記憶部３３のトラックバックＵＲＬ対応表に、そのブログのトラックバックＵＲＬを、記事タイトル等とともに、そのブログの利用者識別子および記事ＵＲＬと関連付けて保存する。なお、ブログのトラックバックＵＲＬは、例えば、そのブログの記事ＵＲＬを基に作成することができる。
【００４４】
例えば、図３に示すように、トラックバックＵＲＬ対応表は、記事ＵＲＬから、ブログ文章が保存されている記憶部３３の実ディレクトリを判別できるようになっている。なお、トラックバックＵＲＬ対応表には、ブログ文章に含まれる記事と画像の実ディレクトリをそれぞれ追加しても良い。例えば、各ブログのブログ文章が、記憶部３３の\blogディレクトリに保存されているとすると、http://www.blogsv.jp/aaa/065.htmの場合は、\blog\aaaディレクトリ内に、記事ファイル065.htmと画像ファイル065#01.gifとを保存する。なお、情報処理装置２０Ａ〜２０Ｃが携帯電話であり、電子メールによってブログ文章が投稿された場合、電子メールごとに、シーケンシャルなファイル名や日時でファイル名を作成しても良いし、下位ディレクトリを作成（例えば、\blog\aaa\065ディレクトリにindex.htmと01.gifを記憶）しても良い。また、記事タイトルは、電子メールのタイトルやブログ文章の１行目から抽出したものを用いて良い。
【００４５】
また、ブログ保存部３２は、記憶部３３に保存されたブログについて、図４に示すように、そのブログのブログ文章中に組み込まれた画像の画像ファイルのヘッダ部に、画像が流用された回数、すなわち画像の世代数を設定した世代フラグを格納する。
【００４６】
なお、ブログ保存部３２は、情報処理装置２０Ａ〜２０Ｃからブログの閲覧が要求された場合、そのブログのブログ文章を記憶部３３から読み出し、送受信部３１を用いて要求元の情報処理装置に送信する。
【００４７】
検索部３４は、情報処理装置２０Ａ〜２０Ｃからブログのブログ文章が投稿された場合、そのブログ文章中に組み込まれた画像と、記憶部３３に保存されている画像との画像マッチング処理を行い、同一の画像が記憶部３３に保存されているか否かを検索する。なお、画像マッチング処理においては、画像ファイルのファイル名、画像サイズ、画像のハッシュ値等を利用する。
【００４８】
ブログリンク部３５は、情報処理装置２０Ａ〜２０Ｃからブログのブログ文章が投稿され、かつ、そのブログ文章中に組み込まれた画像と同一の画像が記憶部３３から検索された場合、検索された画像をブログ文章中に組み込んだブログと、投稿されたブログと、をリンクさせる。
【００４９】
詳細には、ブログリンク部３５は、投稿されたブログについては、記憶部３３から検索された画像を組み込んだブログの記事ＵＲＬへのリンクを直接張る。また、記憶部３３から検索された画像を組み込んだブログについては、そのブログのブログ文章が記憶部３３に保存されている場合は、そのブログのトラックバックＵＲＬに向けて、投稿されたブログの記事ＵＲＬ等を含むトラックバックピングを送信するか、または、投稿されたブログの記事ＵＲＬへのリンクを直接張り、一方、そのブログのブログ文章がサイト管理サーバ３０以外のサーバに保存されている場合は、そのブログのトラックバックＵＲＬに向けて、投稿されたブログの記事ＵＲＬ等を含むトラックバックピングを送信する。なお、ブログリンク部３５は、トラックバックＵＲＬ対応表を参照して、ブログの記事タイトル等を抽出する。
【００５０】
このとき、ブログリンク部３５は、画像ファイルのヘッダ部に格納された世代フラグを基にして、記憶部３３から検索された画像を組み込んだブログの中から、投稿されたブログが画像を流用した流用元のブログ（以下、「親ブログ」と称する）と、その画像を最初に投稿したブログ（以下、「初代ブログ」と称する）と、を特定する。
【００５１】
次に、本実施例の動作について説明する。
【００５２】
［ブログＡ投稿時］
最初に、利用者１０Ａが、画像Ｘを組み込んだブログＡを、サイト管理サーバ３０に投稿する場合の動作について説明する。
【００５３】
まず、利用者１０Ａの情報処理装置２０Ａにおいては、ブログ作成部２２は、画像Ｘを組み込んだブログＡのブログ文章を作成し、送受信部２１を用いてサイト管理サーバ３０に送信する。なお、サイト管理サーバ３０に対しては、ブログＡのブログ文章の送信と同時にまたは事前に、利用者１０Ａの利用者識別子が送信される。
【００５４】
次に、サイト管理サーバ３０においては、ブログ保存部３２は、送受信部３１に受信されたブログＡのブログ文章を、予め決められたブログ形式に変換し、ブログＡの記事ＵＲＬと関連付けて記憶部に保存する。
【００５５】
また、ブログ保存部３２は、記憶部３３のトラックバックＵＲＬ対応表に、ブログＡのトラックバックＵＲＬを、ブログＡの記事タイトル等とともに、利用者１０Ａの利用者識別子およびブログＡの記事ＵＲＬと関連付けて保存する。
【００５６】
次に、検索部３４は、ブログＡのブログ文章中に組み込まれた画像Ｘと、記憶部３３に保存されている画像との画像マッチング処理を行い、画像Ｘが記憶部３３に保存されているか否かを検索する。ここでは、画像Ｘが記憶部３３に保存されていないものとする。
【００５７】
そのため、ブログ保存部３２は、ブログＡにおける画像Ｘの画像ファイルのヘッダ部において、画像Ｘの世代フラグを“１”に設定する。
【００５８】
［ブログＢ投稿時］
続いて、利用者１０Ｂが、上述のブログＡから画像Ｘを取得して、その画像Ｘを組み込んだブログＢを、サイト管理サーバ３０に投稿する場合の動作について説明する。
【００５９】
まず、利用者１０Ｂの情報処理装置２０Ｂにおいては、制御部２６は、ブログＡの記事ＵＲＬを指定したブログＡの閲覧要求を、送受信部２１を用いてサイト管理サーバ３０に送信する。
【００６０】
次に、サイト管理サーバ３０においては、ブログ保存部３２は、送受信部３１に受信されたブログＡの閲覧要求を基に、ブログＡの記事ＵＲＬと関連付けられて記憶部３３に保存されているブログＡのブログ文章を読み出し、送受信部３１を用いて情報処理装置２０Ｂに送信する。
【００６１】
次に、情報処理装置２０Ｂにおいては、制御部２６は、送受信部２１に受信されたブログＡのブログ文章を表示部２３に表示する。
【００６２】
次に、利用者１０Ｂは、情報処理装置２０Ｂの表示部２３に表示されたブログＡにおける画像Ｘを入力部２４で指定して保存指示を行う。これを受けて、情報処理装置２０Ｂにおいては、制御部２６は、画像Ｘを記憶部２５に保存する。
【００６３】
次に、情報処理装置２０Ｂにおいては、ブログ作成部２２は、記憶部２５に保存された画像Ｘを読み出し、画像Ｘを組み込んだブログＢのブログ文章を作成し、送受信部２１を用いてサイト管理サーバ３０に送信する。なお、サイト管理サーバ３０に対しては、ブログＢのブログ文章の送信と同時にまたは事前に、利用者１０Ｂの利用者識別子が送信される。
【００６４】
次に、サイト管理サーバ３０においては、ブログ保存部３２は、送受信部３１に受信されたブログＢのブログ文章を、予め決められたブログ形式に変換し、ブログＢの記事ＵＲＬと関連付けて記憶部３３に保存する。
【００６５】
また、ブログ保存部３２は、記憶部３３のトラックバックＵＲＬ対応表に、ブログＢのトラックバックＵＲＬを、ブログＢの記事タイトル等とともに、利用者１０Ｂの利用者識別子およびブログＢの記事ＵＲＬと関連付けて保存する。
【００６６】
次に、検索部３４は、ブログＢのブログ文章中に組み込まれた画像Ｘと、記憶部３３に保存されている画像との画像マッチング処理を行い、画像Ｘが記憶部３３に保存されているか否かを検索する。ここでは、画像Ｘが、ブログＡの記事ＵＲＬと関連付けられたブログＡのブログ文章中に組み込まれた形で、記憶部３３に保存されている。
【００６７】
そのため、ブログリンク部３５は、トラックバックＵＲＬ対応表を参照して、ブログＡの記事ＵＲＬと関連付けられているブログＡのトラックバックＵＲＬを抽出し、抽出したトラックバックＵＲＬに向けて、ブログＢの記事タイトルや記事ＵＲＬ等を含むトラックバックピングを送信する。これにより、ブログＡのトラックバックリストにおいて、ブログＢの記事ＵＲＬへのリンクが張られる。
【００６８】
また、ブログリンク部３５は、ブログＢにおける画像Ｘの世代フラグと、記憶部３３中のブログＡにおける画像Ｘの世代フラグと、を比較して、ブログＢが画像Ｘを流用した「親ブログ」と、画像Ｘを最初に投稿した「初代ブログ」と、を特定する。ここでは、ブログＢにおける画像Ｘの世代フラグは“１”であるため、同様に世代フラグが“１”であるブログＡが「親ブログ」かつ「初代ブログ」となる。そのため、ブログリンク部３５は、ブログＢにおいて、「親ブログ」および「初代ブログ」の記事ＵＲＬとして、ブログＡの記事ＵＲＬへのリンクを張る。
【００６９】
この時点でのブログＡ，Ｂの状態を図５に示す。このように、本実施例においては、画像Ｘを利用することで、画像Ｘを組み込んでいるブログＡ，Ｂ同士で、簡単に相互にリンクを張ることができる。
【００７０】
その後、ブログ保存部３２は、ブログＢにおける画像Ｘの画像ファイルのヘッダ部において、画像Ｘの世代フラグを、“１”加算して“２”に更新する。
【００７１】
［ブログＣ投稿時］
続いて、利用者１０Ｃが、上述のブログＢから画像Ｘを取得して、その画像Ｘを組み込んだブログＣを、サイト管理サーバ３０に投稿する場合の動作について説明する。
【００７２】
まず、利用者１０Ｃの情報処理装置２０Ｃにおいては、制御部２６は、ブログＢの記事ＵＲＬを指定したブログＢの閲覧要求を、送受信部２１を用いてサイト管理サーバ３０に送信する。
【００７３】
次に、サイト管理サーバ３０においては、ブログ保存部３２は、送受信部３１に受信されたブログＢの閲覧要求を基に、ブログＢの記事ＵＲＬと関連付けられて記憶部３３に保存されているブログＢのブログ文章を読み出し、送受信部３１を用いて情報処理装置２０Ｃに送信する。
【００７４】
次に、情報処理装置２０Ｃにおいては、制御部２６は、送受信部２１に受信されたブログＢのブログ文章を表示部２３に表示する。
【００７５】
次に、利用者１０Ｃは、情報処理装置２０Ｃの表示部２３に表示されたブログＢにおける画像Ｘを入力部２４で指定して保存指示を行う。これを受けて、情報処理装置２０Ｃにおいては、制御部２６は、画像Ｘを記憶部２５に保存する。
【００７６】
次に、情報処理装置２０Ｃにおいては、ブログ作成部２２は、記憶部２５に保存された画像Ｘを読み出し、画像Ｘを組み込んだブログＣのブログ文章を作成し、送受信部２１を用いてサイト管理サーバ３０に送信する。なお、サイト管理サーバ３０に対しては、ブログＣのブログ文章の送信と同時にまたは事前に、利用者１０Ｃの利用者識別子が送信される。
【００７７】
次に、サイト管理サーバ３０においては、ブログ保存部３２は、送受信部３１に受信されたブログＣのブログ文章を、予め決められたブログ形式に変換し、ブログＣの記事ＵＲＬと関連付けて記憶部３３に保存する。
【００７８】
また、ブログ保存部３２は、記憶部３３のトラックバックＵＲＬ対応表に、ブログＣのトラックバックＵＲＬを、ブログＣの記事タイトル等とともに、利用者１０Ｃの利用者識別子およびブログＣの記事ＵＲＬと関連付けて保存する。
【００７９】
次に、検索部３４は、ブログＣのブログ文章中に組み込まれた画像Ｘと、記憶部３３に保存されている画像との画像マッチング処理を行い、画像Ｘが記憶部３３に保存されているか否かを検索する。ここでは、画像Ｘが、ブログＡ，Ｂの記事ＵＲＬと関連付けられたブログＡ，Ｂのブログ文章中に組み込まれた形で、それぞれ記憶部３３に保存されている。
【００８０】
そのため、ブログリンク部３５は、トラックバックＵＲＬ対応表を参照して、ブログＡ，Ｂの記事ＵＲＬにそれぞれ関連付けられているブログＡ，ＢのトラックバックＵＲＬを抽出し、抽出したブログＡ，ＢのトラックバックＵＲＬに向けて、ブログＣの記事タイトルや記事ＵＲＬ等を含むトラックバックピングを送信する。これにより、ブログＡ，Ｂの双方のトラックバックリストにおいて、ブログＣの記事ＵＲＬへのリンクが張られる。
【００８１】
また、ブログリンク部３５は、ブログＣにおける画像Ｘの世代フラグと、記憶部３３中のブログＡ，Ｂおける画像Ｘの世代フラグと、を比較して、ブログＣが画像Ｘを流用した「親ブログ」と、画像Ｘを最初に投稿した「初代ブログ」と、を特定する。ここでは、ブログＣにおける画像Ｘの世代フラグは“２”であるため、同様に世代フラグが“２”であるブログＢが「親ブログ」となる。また、世代フラグが“１”であるブログＡが「初代ブログ」となる。そのため、ブログリンク部３５は、ブログＣにおいて、「親ブログ」の記事ＵＲＬとして、ブログＢの記事ＵＲＬへのリンクを張り、また、「初代ブログ」の記事ＵＲＬとして、ブログＡの記事ＵＲＬへのリンクを張る。
【００８２】
この時点でのブログＡ，Ｂ，Ｃの状態を図６に示す。このように、本実施例においては、画像Ｘを利用することで、画像Ｘを組み込んでいるブログＡ，Ｂ，Ｃ同士で、簡単に相互にリンクを張ることができる。
【００８３】
その後、ブログ保存部３２は、ブログＣにおける画像Ｘの画像ファイルのヘッダ部において、画像Ｘの世代フラグを、“１”加算して“３”に更新する。
【００８４】
（実施例２）
最初に、本実施例の特徴的な部分の構成のうち、実施例１と異なる点について説明する。
【００８５】
ブログ保存部３２は、記憶部３３に保存されたブログについて、図７に示すように、そのブログのブログ文章中に組み込まれた画像の画像ファイルのヘッダ部に、世代フラグに加えて、「最初の投稿者の利用者識別子」、「前回の投稿者の利用者識別子」、および「今回の投稿者の利用者識別子」を識別情報として格納する。
【００８６】
ここで、「今回の投稿者の利用者識別子」は、画像を流用した流用元のブログ（第１のブログ）の投稿者の利用者識別子である。また、「前回の投稿者の利用者識別子」は、その流用元の投稿者が画像を流用した流用元のブログの投稿者の利用者識別子である。また、「最初の投稿者の利用者識別子」は、その画像を最初に投稿したブログ（第２のブログ）の投稿者の利用者識別子である。なお、「最初の投稿者の利用者識別子」は、一旦設定されると、以降は更新されない。また、「最初の投稿者の利用者識別子」は、「前回の投稿者の利用者識別子」および「今回の投稿者の利用者識別子」を辿っていくことで特定できるため、必ずしも格納する必要はない。
【００８７】
検索部３４は、情報処理装置２０Ａ〜２０Ｃからブログのブログ文章が投稿された場合、記憶部３３から画像マッチング処理により画像を検索することに加えて、そのブログ文章中に組み込まれた画像の画像ファイルのヘッダ部に、世代フラグおよび利用者識別子が格納されているか否かを検索する。
【００８８】
ブログリンク部３５は、実施例１と比較すると、情報処理装置２０Ａ〜２０Ｃから投稿されたブログが画像を流用した「親ブログ」と、その画像を最初に投稿した「初代ブログ」と、を特定する方法が異なる。
【００８９】
すなわち、ブログリンク部３５は、「今回の投稿者の利用者識別子」に対応するブログを「親ブログ」と特定し、また、「最初の投稿者の利用者識別子」に対応するブログを「初代ブログ」と特定する。
【００９０】
なお、上記以外の構成は、実施例１と同様である。
【００９１】
次に、本実施例の動作について説明する。
【００９２】
［ブログＡ投稿時］
最初に、利用者１０Ａが、画像Ｘを組み込んだブログＡを、サイト管理サーバ３０に投稿する場合の動作について説明する。
【００９３】
まず、利用者１０Ａの情報処理装置２０Ａにおいては、ブログ作成部２２は、画像Ｘを組み込んだブログＡのブログ文章を作成し、送受信部２１を用いてサイト管理サーバ３０に送信する。なお、サイト管理サーバ３０に対しては、ブログＡのブログ文章の送信と同時にまたは事前に、利用者１０Ａの利用者識別子が送信される。
【００９４】
次に、サイト管理サーバ３０においては、ブログ保存部３２は、送受信部３１に受信されたブログＡのブログ文章を、予め決められたブログ形式に変換し、ブログＡの記事ＵＲＬと関連付けて記憶部に保存する。
【００９５】
また、ブログ保存部３２は、記憶部３３のトラックバックＵＲＬ対応表に、ブログＡのトラックバックＵＲＬを、ブログＡの記事タイトル等とともに、利用者１０Ａの利用者識別子およびブログＡの記事ＵＲＬと関連付けて保存する。
【００９６】
次に、検索部３４は、ブログＡのブログ文章中に組み込まれた画像Ｘと、記憶部３３に保存されている画像との画像マッチング処理を行い、画像Ｘが記憶部３３に保存されているか否かを検索する。ここでは、画像Ｘが記憶部３３に保存されていないものとする。
【００９７】
そのため、ブログ保存部３２は、ブログＡにおける画像Ｘの画像ファイルのヘッダ部において、画像Ｘの世代フラグを“１”に設定する。また、ブログ保存部３２は、今回の投稿者である利用者１０Ａの利用者識別子を、「最初の投稿者の利用者識別子」および「今回の投稿者の利用者識別子」に設定する。なお、この時点では、「前回の投稿者の利用者識別子」の欄は、空欄となる。
【００９８】
［ブログＢ投稿時］
続いて、利用者１０Ｂが、上述のブログＡから画像Ｘを取得して、その画像Ｘを組み込んだブログＢを、サイト管理サーバ３０に投稿する場合の動作について説明する。
【００９９】
まず、利用者１０Ｂの情報処理装置２０Ｂにおいては、制御部２６は、ブログＡの記事ＵＲＬを指定したブログＡの閲覧要求を、送受信部２１を用いてサイト管理サーバ３０に送信する。
【０１００】
次に、サイト管理サーバ３０においては、ブログ保存部３２は、送受信部３１に受信されたブログＡの閲覧要求を基に、ブログＡの記事ＵＲＬと関連付けられて記憶部３３に保存されているブログＡのブログ文章を読み出し、送受信部３１を用いて情報処理装置２０Ｂに送信する。
【０１０１】
次に、情報処理装置２０Ｂにおいては、制御部２６は、送受信部２１に受信されたブログＡのブログ文章を表示部２３に表示する。
【０１０２】
次に、利用者１０Ｂは、情報処理装置２０Ｂの表示部２３に表示されたブログＡにおける画像Ｘを入力部２４で指定して保存指示を行う。これを受けて、情報処理装置２０Ｂにおいては、制御部２６は、画像Ｘを記憶部２５に保存する。
【０１０３】
次に、情報処理装置２０Ｂにおいては、ブログ作成部２２は、記憶部２５に保存された画像Ｘを読み出し、画像Ｘを組み込んだブログＢのブログ文章を作成し、送受信部２１を用いてサイト管理サーバ３０に送信する。なお、サイト管理サーバ３０に対しては、ブログＢのブログ文章の送信と同時にまたは事前に、利用者１０Ｂの利用者識別子が送信される。
【０１０４】
次に、サイト管理サーバ３０においては、ブログ保存部３２は、送受信部３１に受信されたブログＢのブログ文章を、予め決められたブログ形式に変換し、ブログＢの記事ＵＲＬと関連付けて記憶部３３に保存する。
【０１０５】
また、ブログ保存部３２は、記憶部３３のトラックバックＵＲＬ対応表に、ブログＢのトラックバックＵＲＬを、ブログＢの記事タイトル等とともに、利用者１０Ｂの利用者識別子およびブログＢの記事ＵＲＬと関連付けて保存する。
【０１０６】
次に、検索部３４は、ブログＢのブログ文章中に組み込まれた画像Ｘと、記憶部３３に保存されている画像との画像マッチング処理を行い、画像Ｘが記憶部３３に保存されているか否かを検索する。ここでは、画像Ｘが、ブログＡの記事ＵＲＬと関連付けられたブログＡのブログ文章中に組み込まれた形で、記憶部３３に保存されている。
【０１０７】
次に、ブログリンク部３５は、ブログＢの画像Ｘの画像ファイルのヘッダ部の世代フラグを確認する。ここでは、世代フラグが“１”であることが確認されるため、ブログリンク部３５は、「親ブログ」の世代フラグが“１”であり、「親ブログ」が「初代ブログ」であると特定する。
【０１０８】
次に、ブログリンク部３５は、検索部３４で検索されたブログＡの画像Ｘの画像ファイルのヘッダ部の世代フラグを確認する。ここでは、世代フラグが“１”であることが確認されるため、ブログリンク部３５は、ブログＡが「親ブログ」かつ「初代ブログ」と特定する。
【０１０９】
次に、ブログリンク部３５は、トラックバックＵＲＬ対応表を参照して、ブログＡの記事ＵＲＬと関連付けられているブログＡのトラックバックＵＲＬを抽出し、抽出したトラックバックＵＲＬに向けて、ブログＢの記事タイトルや記事ＵＲＬ等を含むトラックバックピングを送信する。これにより、ブログＡのトラックバックリストにおいて、ブログＢの記事ＵＲＬへのリンクが張られる。
【０１１０】
または、ブログリンク部３５は、トラックバックＵＲＬ対応表を参照してブログＢの記事ＵＲＬを抽出し、ブログＡにブログＢの記事ＵＲＬへのリンクを直接張っても良い。
【０１１１】
また、ブログリンク部３５は、トラックバックＵＲＬ対応表を参照して、ブログＡの記事ＵＲＬを抽出し、ブログＢにおいて、「親ブログ」および「初代ブログ」の記事ＵＲＬとして、ブログＡの記事ＵＲＬへのリンクを張る。
【０１１２】
この時点でのブログＡ，Ｂは、実施例１と同様に、図５のような状態となる。このように、本実施例においては、実施例１と同様に、画像Ｘを利用することで、画像Ｘを組み込んでいるブログＡ，Ｂ同士で、簡単に相互にリンクを張ることができる。
【０１１３】
その後、ブログ保存部３２は、ブログＢにおける画像Ｘの画像ファイルのヘッダ部において、画像Ｘの世代フラグを、“１”加算して“２”に更新する。また、ブログ保存部３２は、「前回の投稿者の利用者識別子」に「今回の投稿者の利用者識別子」に設定されていた利用者１０Ａの利用者識別子を設定するとともに、「今回の投稿者の利用者識別子」に今回の投稿者である利用者１０Ｂの利用者識別子を設定する。なお、「最初の投稿者の利用者識別子」は、利用者１０Ａの利用者識別子に設定されたままとする。
【０１１４】
［ブログＣ投稿時］
続いて、利用者１０Ｃが、上述のブログＢから画像Ｘを取得して、その画像Ｘを組み込んだブログＣを、サイト管理サーバ３０に投稿する場合の動作について説明する。
【０１１５】
まず、利用者１０Ｃの情報処理装置２０Ｃにおいては、制御部２６は、ブログＢの記事ＵＲＬを指定したブログＢの閲覧要求を、送受信部２１を用いてサイト管理サーバ３０に送信する。
【０１１６】
次に、サイト管理サーバ３０においては、ブログ保存部３２は、送受信部３１に受信されたブログＢの閲覧要求を基に、ブログＢの記事ＵＲＬと関連付けられて記憶部３３に保存されているブログＢのブログ文章を読み出し、送受信部３１を用いて情報処理装置２０Ｃに送信する。
【０１１７】
次に、情報処理装置２０Ｃにおいては、制御部２６は、送受信部２１に受信されたブログＢのブログ文章を表示部２３に表示する。
【０１１８】
次に、利用者１０Ｃは、情報処理装置２０Ｃの表示部２３に表示されたブログＢにおける画像Ｘを入力部２４で指定して保存指示を行う。これを受けて、情報処理装置２０Ｃにおいては、制御部２６は、画像Ｘを記憶部２５に保存する。
【０１１９】
次に、情報処理装置２０Ｃにおいては、ブログ作成部２２は、記憶部２５に保存された画像Ｘを読み出し、画像Ｘを組み込んだブログＣのブログ文章を作成し、送受信部２１を用いてサイト管理サーバ３０に送信する。なお、サイト管理サーバ３０に対しては、ブログＣのブログ文章の送信と同時にまたは事前に、利用者１０Ｃの利用者識別子が送信される。
【０１２０】
次に、サイト管理サーバ３０においては、ブログ保存部３２は、送受信部３１に受信されたブログＣのブログ文章を、予め決められたブログ形式に変換し、ブログＣの記事ＵＲＬと関連付けて記憶部３３に保存する。
【０１２１】
また、ブログ保存部３２は、記憶部３３のトラックバックＵＲＬ対応表に、ブログＣのトラックバックＵＲＬを、ブログＣの記事タイトル等とともに、利用者１０Ｃの利用者識別子およびブログＣの記事ＵＲＬと関連付けて保存する。
【０１２２】
次に、検索部３４は、ブログＣのブログ文章中に組み込まれた画像Ｘと、記憶部３３に保存されている画像との画像マッチング処理を行い、画像Ｘが記憶部３３に保存されているか否かを検索する。ここでは、画像Ｘが、ブログＡ，Ｂの記事ＵＲＬと関連付けられたブログＡ，Ｂのブログ文章中に組み込まれた形で、それぞれ記憶部３３に保存されている。
【０１２３】
次に、ブログリンク部３５は、ブログＣの画像Ｘの画像ファイルのヘッダ部の世代フラグを確認する。ここでは、世代フラグが“２”であることが確認されるため、ブログリンク部３５は、「親ブログ」の世代フラグが“２”であると特定する。
【０１２４】
次に、ブログリンク部３５は、検索部３４で検索されたブログＡ，Ｂの画像Ｘの画像ファイルのヘッダ部の世代フラグをそれぞれ確認する。ここでは、ブログＡの世代フラグが“１”であることが確認されるため、ブログリンク部３５は、ブログＡを「初代ブログ」として抽出する。さらに、ブログＢの世代フラグが“２”であることが確認されるため、ブログリンク部３５は、ブログＢを「親ブログ」として抽出する。
【０１２５】
次に、ブログリンク部３５は、「初代ブログ」として抽出したブログの記事ＵＲＬの中から、トラックバックＵＲＬ対応表を参照して、「最初の投稿者の利用者識別子」の利用者識別子に対応する記事ＵＲＬと一致する記事ＵＲＬを検索する。ここでは、「初代ブログ」としてブログＡが抽出され、「最初の投稿者の利用者識別子」はブログＡの投稿者である利用者１０Ａの利用者識別子であるため、ブログＡの記事ＵＲＬが検索される。そのため、ブログリンク部３５は、ブログＡが「初代ブログ」と特定する。
【０１２６】
次に、ブログリンク部３５は、「親ブログ」として抽出したブログの記事ＵＲＬの中から、トラックバックＵＲＬ対応表を参照して、「今回の投稿者の利用者識別子」の利用者識別子に対応する記事ＵＲＬと一致する記事ＵＲＬを検索する。ここでは、「親ブログ」としてブログＢが抽出され、「今回の投稿者の利用者識別子」はブログＢの投稿者である利用者１０Ｂの利用者識別子であるため、ブログＢの記事ＵＲＬが検索される。そのため、ブログリンク部３５は、ブログＢが「親ブログ」と特定する。
【０１２７】
次に、ブログリンク部３５は、トラックバックＵＲＬ対応表を参照して、ブログＡ，Ｂの記事ＵＲＬにそれぞれ関連付けられているブログＡ，ＢのトラックバックＵＲＬを抽出し、抽出したブログＡ，ＢのトラックバックＵＲＬに向けて、ブログＣの記事タイトルや記事ＵＲＬ等を含むトラックバックピングを送信する。これにより、ブログＡ，Ｂの双方のトラックバックリストにおいて、ブログＣの記事ＵＲＬへのリンクが張られる。
【０１２８】
また、ブログリンク部３５は、トラックバックＵＲＬ対応表を参照して、ブログＡ，Ｂの記事ＵＲＬを抽出し、ブログＣにおいて、「初代ブログ」の記事ＵＲＬとして、ブログＡの記事ＵＲＬへのリンクを張り、また、「親ブログ」の記事ＵＲＬとして、ブログＢの記事ＵＲＬへのリンクを張る。
【０１２９】
この時点でのブログＡ，Ｂ，Ｃは、実施例１と同様に、図６のような状態となる。このように、本実施例においては、実施例１と同様に、画像Ｘを利用することで、画像Ｘを組み込んでいるブログＡ，Ｂ，Ｃ同士で、簡単に相互にリンクを張ることができる。
【０１３０】
その後、ブログ保存部３２は、ブログＣにおける画像Ｘの画像ファイルのヘッダ部において、画像Ｘの世代フラグを、“１”加算して“３”に更新する。また、ブログ保存部３２は、「前回の投稿者の利用者識別子」に「今回の投稿者の利用者識別子」に設定されていた利用者１０Ｂの利用者識別子を設定するとともに、「今回の投稿者の利用者識別子」に今回の投稿者である利用者１０Ｃの利用者識別子を設定する。なお、「最初の投稿者の利用者識別子」は、利用者１０Ａの利用者識別子に設定されたままとする。
【０１３１】
本実施例では、検索部３４で記憶部３３を検索した時に、画像Ｘの世代フラグ（＝「親ブログ」）と同じ世代フラグ（ブログＣの投稿時は“２”）を持つ画像が複数検索される場合がある。この場合、その中から「親ブログ」を見つけるために、画像Ｘの画像ファイルのヘッダ部から、「今回の投稿者の利用者識別子」の利用者識別子（ブログＣの投稿時は利用者１０Ｂの利用者識別子）を参照し、トラックバックＵＲＬ対応表から、その利用者識別子に対応する記事ＵＲＬ（または実ディレクトリ）を求め、検索された複数の画像から「親ブログ」の画像を特定する。なお、「初代ブログ」も同様の方法で特定できる。
【０１３２】
（実施例３）
最初に、本実施例の特徴的な部分の構成のうち、実施例１と異なる点について説明する。
【０１３３】
ブログ保存部３２は、記憶部３３に保存されたブログについて、図８に示すように、そのブログのブログ文章中に組み込まれた画像の画像ファイルのヘッダ部に、世代フラグに加えて、「最初の投稿者のトラックバックＵＲＬ」、「前回の投稿者のトラックバックＵＲＬ」、および「今回の投稿者のトラックバックＵＲＬ」を識別情報として格納する。
【０１３４】
ここで、「今回の投稿者のトラックバックＵＲＬ」は、画像を流用した流用元の投稿者のブログ（第１のブログ）のトラックバックＵＲＬである。また、「前回の投稿者のトラックバックＵＲＬ」は、その流用元の投稿者が画像を流用した流用元の投稿者のブログのトラックバックＵＲＬである。また、「最初の投稿者のトラックバックＵＲＬ」は、画像を最初に投稿した投稿者のブログ（第２のブログ）のトラックバックＵＲＬである。なお、「最初の投稿者のトラックバックＵＲＬ」は、一旦設定されると、以降は更新されない。また、「最初の投稿者のトラックバックＵＲＬ」は、「前回の投稿者のトラックバックＵＲＬ」および「今回の投稿者のトラックバックＵＲＬ」を辿っていくことで特定できるため、必ずしも格納する必要はない。
【０１３５】
検索部３４は、情報処理装置２０Ａ〜２０Ｃからブログのブログ文章が投稿された場合、記憶部３３から画像マッチング処理により画像を検索する代わりに、そのブログ文章中に組み込まれた画像の画像ファイルのヘッダ部に、世代フラグおよびトラックバックＵＲＬが格納されているか否かを検索する。
【０１３６】
ブログリンク部３５は、情報処理装置２０Ａ〜２０Ｃからブログのブログ文章が投稿され、かつ、そのブログ文章中に組み込まれた画像の画像ファイルのヘッダ部に、世代フラグおよびトラックバックＵＲＬが格納されている場合、そのトラックバックＵＲＬに対応するブログと、投稿されたブログと、をリンクさせる。
【０１３７】
詳細には、ブログリンク部３５は、投稿されたブログについては、画像ファイルのヘッダ部に格納されたトラックバックＵＲＬに対応するブログの記事ＵＲＬへのリンクを直接張る。また、画像ファイルのヘッダ部に格納されたトラックバックＵＲＬに対応するブログについては、そのブログのブログ文章が記憶部３３に保存されている場合は、そのブログのトラックバックＵＲＬに向けて、投稿されたブログの記事ＵＲＬ等を含むトラックバックピングを送信するか、または、投稿されたブログの記事ＵＲＬへのリンクを直接張り、一方、そのブログのブログ文章がサイト管理サーバ３０以外のサーバに保存されている場合は、そのブログのトラックバックＵＲＬに向けて、投稿されたブログの記事ＵＲＬ等を含むトラックバックピングを送信する。なお、ブログリンク部３５は、トラックバックＵＲＬ対応表を参照して、ブログの記事タイトル等を抽出する。
【０１３８】
このとき、ブログリンク部３５は、「今回の投稿者のトラックバックＵＲＬ」に対応するブログを、投稿されたブログが画像を流用した流用元のブログ（以下、「親ブログ」と称する）と特定し、また、「最初の投稿者のトラックバックＵＲＬ」に対応するブログを、その画像を最初に投稿したブログ（以下、「初代ブログ」と称する）と特定する。
【０１３９】
なお、上記以外の構成は、実施例１と同様である。
【０１４０】
次に、本実施例の動作について説明する。
【０１４１】
［ブログＡ投稿時］
最初に、利用者１０Ａが、画像Ｘを組み込んだブログＡを、サイト管理サーバ３０に投稿する場合の動作について説明する。
【０１４２】
まず、利用者１０Ａの情報処理装置２０Ａにおいては、ブログ作成部２２は、画像Ｘを組み込んだブログＡのブログ文章を作成し、送受信部２１を用いてサイト管理サーバ３０に送信する。なお、サイト管理サーバ３０に対しては、ブログＡのブログ文章の送信と同時にまたは事前に、利用者１０Ａの利用者識別子が送信される。
【０１４３】
次に、サイト管理サーバ３０においては、ブログ保存部３２は、送受信部３１に受信されたブログＡのブログ文章を、予め決められたブログ形式に変換し、ブログＡの記事ＵＲＬと関連付けて記憶部３３に保存する。
【０１４４】
また、ブログ保存部３２は、記憶部３３のトラックバックＵＲＬ対応表に、ブログＡのトラックバックＵＲＬを、ブログＡの記事タイトル等とともに、利用者１０Ａの利用者識別子およびブログＡの記事ＵＲＬと関連付けて保存する。
【０１４５】
次に、検索部３４は、ブログＡのブログ文章中に組み込まれた画像Ｘの画像ファイルのヘッダ部に、世代フラグおよびトラックバックＵＲＬが設定されているか否かを検索する。ここでは、世代フラグおよびトラックバックＵＲＬが設定されていないものとする。
【０１４６】
そのため、ブログ保存部３２は、画像Ｘの画像ファイルのヘッダ部において、世代フラグに“１”を設定する。また、ブログ保存部３２は、今回の投稿ブログであるブログＡのトラックバックＵＲＬを、「最初の投稿者のトラックバックＵＲＬ」および「今回の投稿者のトラックバックＵＲＬ」に設定する。なお、この時点では、「前回の投稿者のトラックバックＵＲＬ」の欄は、空欄となる。
【０１４７】
［ブログＢ投稿時］
続いて、利用者１０Ｂが、上述のブログＡから画像Ｘを取得して、その画像Ｘを組み込んだブログＢを、サイト管理サーバ３０に投稿する場合の動作について説明する。
【０１４８】
まず、利用者１０Ｂの情報処理装置２０Ｂにおいては、制御部２６は、ブログＡの記事ＵＲＬを指定したブログＡの閲覧要求を、送受信部２１を用いてサイト管理サーバ３０に送信する。
【０１４９】
次に、サイト管理サーバ３０においては、ブログ保存部３２は、送受信部３１に受信されたブログＡの閲覧要求を基に、ブログＡの記事ＵＲＬと関連付けられて記憶部３３に保存されているブログＡのブログ文章を読み出し、送受信部３１を用いて情報処理装置２０Ｂに送信する。
【０１５０】
次に、情報処理装置２０Ｂにおいては、制御部２６は、送受信部２１に受信されたブログＡのブログ文章を表示部２３に表示する。
【０１５１】
次に、利用者１０Ｂは、情報処理装置２０Ｂの表示部２３に表示されたブログＡにおける画像Ｘを入力部２４で指定して保存指示を行う。これを受けて、情報処理装置２０Ｂにおいては、制御部２６は、画像Ｘを記憶部２５に保存する。
【０１５２】
次に、情報処理装置２０Ｂにおいては、ブログ作成部２２は、記憶部２５に保存された画像Ｘを読み出し、画像Ｘを組み込んだブログＢのブログ文章を作成し、送受信部２１を用いてサイト管理サーバ３０に送信する。なお、サイト管理サーバ３０に対しては、ブログＢのブログ文章の送信と同時にまたは事前に、利用者１０Ｂの利用者識別子が送信される。
【０１５３】
次に、サイト管理サーバ３０においては、ブログ保存部３２は、送受信部３１に受信されたブログＢのブログ文章を、予め決められたブログ形式に変換し、ブログＢの記事ＵＲＬと関連付けて記憶部３３に保存する。
【０１５４】
また、ブログ保存部３２は、記憶部３３のトラックバックＵＲＬ対応表に、ブログＢのトラックバックＵＲＬを、ブログＢの記事タイトル等とともに、利用者１０Ｂの利用者識別子およびブログＢの記事ＵＲＬと関連付けて保存する。
【０１５５】
次に、検索部３４は、ブログＢのブログ文章中に組み込まれた画像Ｘの画像ファイルのヘッダ部に、世代フラグおよびトラックバックＵＲＬが設定されているか否かを確認する。ここでは、世代フラグに“１”が設定されている。また、「最初の投稿者のトラックバックＵＲＬ」および「今回の投稿者のトラックバックＵＲＬ」にブログＡのトラックバックＵＲＬが設定されている。
【０１５６】
そのため、ブログリンク部３５は、「最初の投稿者のトラックバックＵＲＬ」かつ「今回の投稿者のトラックバックＵＲＬ」であるブログＡのトラックバックＵＲＬに向けて、ブログＢの記事タイトルや記事ＵＲＬ等を含むトラックバックピングを送信する。これにより、ブログＡのトラックバックリストにおいて、ブログＢの記事ＵＲＬへのリンクが張られる。
【０１５７】
また、ブログリンク部３５は、「最初の投稿者のトラックバックＵＲＬ」かつ「今回の投稿者のトラックバックＵＲＬ」に対応するブログＡを、「親ブログ」かつ「初代ブログ」と特定する。そして、ブログリンク部３５は、トラックバックＵＲＬ対応表を参照して、ブログＡの記事ＵＲＬを抽出し、ブログＢにおいて、「親ブログ」および「初代ブログ」の記事ＵＲＬとして、ブログＡの記事ＵＲＬへのリンクを張る。
【０１５８】
この時点でのブログＡ，Ｂは、実施例１と同様に、図５のような状態となる。このように、本実施例においては、実施例１と同様に、画像Ｘを利用することで、画像Ｘを組み込んでいるブログＡ，Ｂ同士で、簡単に相互にリンクを張ることができる。
【０１５９】
その後、ブログ保存部３２は、ブログＢにおける画像Ｘの画像ファイルのヘッダ部において、画像Ｘの世代フラグを、“１”加算して“２”に更新する。また、ブログ保存部３２は、「前回の投稿者のトラックバックＵＲＬ」に「今回の投稿者のトラックバックＵＲＬ」に設定されていたブログＡのトラックバックＵＲＬを設定するとともに、「今回の投稿者のトラックバックＵＲＬ」に今回の投稿ブログであるブログＢのトラックバックＵＲＬを設定する。なお、「最初の投稿者のトラックバックＵＲＬ」は、ブログＡのトラックバックＵＲＬに設定されたままとする。
【０１６０】
なお、本実施例では、ブログＢにブログＡのリンクを張る際に、トラックバックＵＲＬ対応表を用いてブログＡの記事ＵＲＬを抽出したが、これに限定されない。すなわち、その前の処理でブログＡのトラックバックＵＲＬに向けて送信されたトラックバックピングが、ブログＡ側で受信されたときに、ブログＡのトラックバックＵＲＬに対応するブログＡの記事ＵＲＬを返信するようにしてもよい。
【０１６１】
［ブログＣ投稿時］
続いて、利用者１０Ｃが、上述のブログＢから画像Ｘを取得して、その画像Ｘを組み込んだブログＣを、サイト管理サーバ３０に投稿する場合の動作について説明する。
【０１６２】
まず、利用者１０Ｃの情報処理装置２０Ｃにおいては、制御部２６は、ブログＢの記事ＵＲＬを指定したブログＢの閲覧要求を、送受信部２１を用いてサイト管理サーバ３０に送信する。
【０１６３】
次に、サイト管理サーバ３０においては、ブログ保存部３２は、送受信部３１に受信されたブログＢの閲覧要求を基に、ブログＢの記事ＵＲＬと関連付けられて記憶部３３に保存されているブログＢのブログ文章を読み出し、送受信部３１を用いて情報処理装置２０Ｃに送信する。
【０１６４】
次に、情報処理装置２０Ｃにおいては、制御部２６は、送受信部２１に受信されたブログＢのブログ文章を表示部２３に表示する。
【０１６５】
次に、利用者１０Ｃが、情報処理装置２０Ｃの表示部２３に表示されたブログＢにおける画像Ｘを入力部２４で指定して保存指示を行う。これを受けて、情報処理装置２０Ｃにおいては、制御部２６は、画像Ｘを記憶部２５に保存する。
【０１６６】
次に、情報処理装置２０Ｃにおいては、ブログ作成部２２は、記憶部２５に保存された画像Ｘを読み出し、画像Ｘを組み込んだブログＣのブログ文章を作成し、送受信部２１を用いてサイト管理サーバ３０に送信する。なお、サイト管理サーバ３０に対しては、ブログＣのブログ文章の送信と同時にまたは事前に、利用者１０Ｂの利用者識別子が送信される。
【０１６７】
次に、サイト管理サーバ３０においては、ブログ保存部３２は、送受信部３１に受信されたブログＣのブログ文章を、予め決められたブログ形式に変換し、ブログＣの記事ＵＲＬと関連付けて記憶部３３に保存する。
【０１６８】
また、ブログ保存部３２は、記憶部３３のトラックバックＵＲＬ対応表に、ブログＣのトラックバックＵＲＬを、ブログＣの記事タイトル等とともに、利用者１０Ｃの利用者識別子およびブログＣの記事ＵＲＬと関連付けて保存する。
【０１６９】
次に、検索部３４は、ブログＣのブログ文章中に組み込まれた画像Ｘの画像ファイルのヘッダ部に、世代フラグおよびトラックバックＵＲＬが設定されているか否かを確認する。ここでは、世代フラグに“２”が設定されている。また、「最初の投稿者のトラックバックＵＲＬ」および「前回の投稿者のトラックバックＵＲＬ」にブログＡのトラックバックＵＲＬが設定されているとともに、「今回の投稿者のトラックバックＵＲＬにブログＢのトラックバックＵＲＬが設定されている。
【０１７０】
そのため、ブログリンク部３５は、「最初の投稿者のトラックバックＵＲＬ」かつ「前回の投稿者のトラックバックＵＲＬ」であるブログＡのトラックバックＵＲＬと、「今回の投稿者のトラックバックＵＲＬ」であるブログＢのトラックバックＵＲＬと、向けて、ブログＣの記事タイトルや記事ＵＲＬ等を含むトラックバックピングを送信する。これにより、ブログＡ，Ｂの双方のトラックバックリストにおいて、ブログＣの記事ＵＲＬへのリンクが張られる。
【０１７１】
また、ブログリンク部３５は、「最初の投稿者のトラックバックＵＲＬ」に対応するブログＡを「初代ブログ」と特定し、また、「今回の投稿者のトラックバックＵＲＬ」に対応するブログＢを「親ブログ」と特定する。そして、ブログリンク部３５は、トラックバックＵＲＬ対応表を参照して、ブログＡ，Ｂの記事ＵＲＬを抽出し、ブログＣにおいて、「初代ブログ」の記事ＵＲＬとして、ブログＡの記事ＵＲＬへのリンクを張り、また、「親ブログ」の記事ＵＲＬとして、ブログＢの記事ＵＲＬへのリンクを張る。
【０１７２】
この時点でのブログＡ，Ｂ，Ｃは、実施例１と同様に、図６のような状態となる。このように、本実施例においては、実施例１と同様に、画像Ｘを利用することで、画像Ｘを組み込んでいるブログＡ，Ｂ，Ｃ同士で、簡単に相互にリンクを張ることができる。
【０１７３】
その後、ブログ保存部３２は、ブログＣにおける画像Ｘの画像ファイルのヘッダ部において、画像Ｘの世代フラグを、“１”加算して“３”に更新する。また、ブログ保存部３２は、「前回の投稿者のトラックバックＵＲＬ」に「今回の投稿者のトラックバックＵＲＬ」に設定されていたブログＢのトラックバックＵＲＬを設定するとともに、「今回の投稿者のトラックバックＵＲＬ」に今回の投稿ブログであるブログＣのトラックバックＵＲＬが設定する。なお、「最初の投稿者のトラックバックＵＲＬ」は、ブログＡのトラックバックＵＲＬに設定されたままとする。
【０１７４】
なお、本実施例においては、画像ファイルのヘッダ部に、トラックバックＵＲＬを格納したが、その代わりに記事ＵＲＬを格納しても良い。その場合、トラックバックＵＲＬ対応表を参照して、記事ＵＲＬに対応するトラックバックＵＲＬを抽出する必要がある。
【図面の簡単な説明】
【０１７５】
【図１】本発明の一実施形態のサイトリンクシステムの構成を示す図である。
【図２】図１に示したブログ保存部によるブログ形式への変換方法の一例を説明する図である。
【図３】図１に示した記憶部に保存されるトラックバックＵＲＬ対応表の一例を示す図である。
【図４】図１に示したブログ保存部により設定される画像ファイルの一例を示す図である。
【図５】図１に示したブログリンク部により、同一の画像を組み込んだ２つのブログ同士を相互にリンクさせた状態の一例を示す図である。
【図６】図１に示したブログリンク部により、同一の画像を組み込んだ３つのブログ同士を相互にリンクさせた状態の一例を示す図である。
【図７】図１に示したブログ保存部により設定される画像ファイルの他の例を示す図である。
【図８】図１に示したブログ保存部により設定される画像ファイルのさらに他の例を示す図である。
【符号の説明】
【０１７６】
１０Ａ〜１０Ｃ    利用者
２０Ａ〜２０Ｃ    情報処理装置
２１    送受信部
２２    ブログ作成部
２３    表示部
２４    入力部
２５    記憶部
２６    制御部
３０    サイト管理サーバ
３１    送受信部
３２    ブログ保存部
３３    記憶部
３４    検索部
３５    ブログリンク部
４０    ネットワーク
【図１】
0004784892.tif 000002
【図２】
0004784892.tif 000003
【図３】
0004784892.tif 000004
【図４】
0004784892.tif 000005
【図５】
0004784892.tif 000006
【図６】
0004784892.tif 000007
【図７】
0004784892.tif 000008
【図８】
0004784892.tif 000009